(57)【要約】【課題】印字した薬袋を様々な使用目的に基づいて自動的にふり分ける振分け装置を提供する。【解決手段】搬送路５、６、７を縦方向の搬出用コンベヤ８に連結し、その搬出用コンベヤ８の端部に下端の支持点を中心に揺動する振分け板１２を備えた振分け手段を収納ケース９内に設ける。各搬送路５、６、７の端部に薬袋を待機させるローラ１８と、待機を検出する検出器１９、２０、２１を設ける。印字された薬袋が各搬送路上で待機すると、その薬袋の印字情報が患者名順か優先順位、再発行かの情報に基づいて振分け板１２の振分け方向を切換える。【選択図】図１
2005029273.tif 000002
【特許請求の範囲】
【請求項１】
薬袋印字情報が印字された薬袋を送る縦方向の１つの搬送路と、その薬袋を縦方向又は傾斜方向に受入れて振分ける振分け手段とを備え、振分け手段は下端を中心に回転自在な振分け板から成り、搬送路手前に設けた検出器による薬袋の検出信号と患者名順又は優先順位、再発行の信号とにより振分け板を振動させて薬袋を振分けるようにして成る薬袋の振分け装置。
【請求項２】
前記振分け手段を収納ケース内に設け、振分け板によって形成される複数の収納部に薬袋を振分けて収納するようにしたことを特徴とする請求項１に記載の薬袋の振分け装置。
【請求項３】
前記縦方向の搬送路の出口に送り検出器を設け、その検出信号により薬袋の重なりを防止するようにしたことを特徴とする請求項１又は２のいずれかに記載の薬袋の振分け装置。
【発明の詳細な説明】
【技術分野】
【０００１】
この発明は、錠剤や散薬、分包袋等を収納する薬袋を患者名や優先順位などの条件に基づいて振分けるための振分け装置に関する。
【背景技術】
【０００２】
この種の薬袋は、通常、印字装置においてその表面に患者名や用法、注意事項等の情報を印字された後収納ケースに一旦収納され、その後薬袋の内部に錠剤や分包袋等が投入される手順がとられているが、従来、印字された薬袋はそのまま同一の収納ケースに収納されているために、錠剤等の投入に当たって作業者が手作業により患者名別に薬袋をふり分ける必要があった。
【０００３】
特に、複数の印字装置により印字した薬袋を同じ収納ケースに収納した場合、多数種類の薬袋が混在し合うことになるため、薬袋のふり分けに著しい時間が必要になる不具合があった。
【０００４】
また、薬局などの調剤作業においては、薬の調剤に対して患者別に優先順位を設けたり、印字内容の変更やプリントミス等により薬袋を再発行する場合が多く生じるが、このような場合、従来の方法では薬袋の混合を防ぐため他の薬袋の製袋や印字を中断して対象となる薬袋だけを製袋・印字する必要があり、作業能率を低下させる不具合があった。
【発明の開示】
【発明が解決しようとする課題】
【０００５】
そこで、この発明は、患者名別や優先順位、或いは再発行などの様々な条件に基づいて、複数の薬袋を並行処理して薬袋を高効率に自動的に振り分けることができ、かつ装置の小型化、コンパクト化を可能にする振分け装置を提供することを目的とする。
【課題を解決するための手段】
【０００６】
この発明は、上記の課題を解決するため、薬袋印字情報が印字された薬袋を整列状に送る縦方向の１つの搬送路と、その薬袋を縦方向又は傾斜方向に受入れて振分ける振分け手段とを備え、振分け手段は下端を中心に回転自在な振分け板から成り、搬送路手前に設けた検出器による薬袋の検出信号と患者名順又は優先順位、再発行の信号とにより振分け板を振動させて薬袋を振分けるようにして成る薬袋の振分け装置としたのである。
【０００７】
上記の構成としたこの発明の薬袋振分け装置では、薬袋印字情報が印字された薬袋が搬送路へ送り込まれ、その際、搬送路からの薬袋が搬送路で重ならないように薬袋の搬送が行なわれる。
【０００８】
上記搬送路は縦方向に設けられており、薬袋が搬送路へ送り込まれると薬袋の自重で下方へ送るのではなく強制的に送り出す。このような搬送路は、患者名順又は優先順位、再発行の条件によって最初に搬送路に送り込まれた順序通りではない場合があり、確実に振分け手段へ薬袋を送り出すためである。
【０００９】
上記のように搬送される薬袋については、予め分っている薬袋情報によりその薬袋がどの患者のものであるかが判断されており、その薬袋情報に従って振分け板が作動させられ、患者名別に応じて振分け板が方向を切替えられ、薬袋は所望の方向へ振分けられる。薬袋の優先順位付けや再発行を行なう場合は、順位や再発行の情報により上記と同じ方法で薬袋を振分ける。このため、患者名順の薬袋と優先順位、再発行の薬袋が異なる方向へ振分けられる。又、搬送路を縦方向に設け、振分け手段を縦方向又は傾斜方向に薬袋を受入れるように設けることにより、搬送路が水平斜め方向であっても、搬送路と振分け手段を設けるスペースは極めて小さいもので済み、装置のコンパクト化が図られる。
【発明の効果】
【００１０】
以上のように、この発明は、薬袋を１つの搬送路へ検出器の信号により重ならないように送り、この搬出コンベヤで送り出されるその薬袋について予め分っている印字情報による患者名順又は優先順位、再発行の信号により振分け板の振り分け方向を制御して薬袋を振分けするようにしたので、患者名別や優先順位等の様々な条件に応じて薬袋を自動的に振分けることができ、振分け作業の大幅な効率化を図れ、かつ搬送路を縦方向に設け、振分け手段が薬袋を縦方向又は傾斜方向に受入れるようにしたから振分け装置をシンプルでコンパクト化し、小さなスペースに収納できるという効果がある。
【発明を実施するための最良の形態】
【００１１】
以下、この発明の実施形態について図面を参照して説明する。図１（ａ）は、従来の薬袋の製袋・印字装置に、この発明の振分け装置を連結した実施例を示している。なお、この実施例の振分け装置は、薬袋に印字をした後それぞれの薬袋を所望の方向へ振分けてその薬袋にその後必要な薬剤を手作業で封入するのに用いられることが前提である。この例では、１台の製袋装置１で製袋した薬袋Ｔを３台の印字装置２、３、４に分配し、その表面にそれぞれ患者名や用法等の情報を印字する。
【００１２】
この印字された薬袋Ｔは、次に各印字装置２、３、４と連結した複数の搬送路５、６、７を介して図示のように縦方向に設けられた搬出用コンベヤ８に送られ、その搬出用コンベヤ８の端部に設置した収納ケース９内に投入される。この収納ケース９の内側には、図２に示すように、そのケース内部を２つの収納部１０、１１に仕切る振分け板１２をその下端部に設けた回転支持部を中心に揺動可能に取り付けた振分け手段が薬袋Ｔを縦方向又は傾斜方向に受入れるように設けられている。この振分け板１２は、中央部がリンク１３を介してカム円板１４に連結され、このカム円板１４にこのカム円板を回転させる駆動モータＭ１５が連結されている。
【００１３】
また、カム円板１４の周縁には、１８０度の対向位置に一対の切欠溝１６、１６が形成され、その各切欠溝１６、１６を検出するための近接スイッチ１７、１７が駆動モータ１５の端面に取付けられている。この構造では、切欠溝１６、１６と近接スイッチ１７、１７が一致する範囲でカム円板１４を回動させると、振分け板１２が、図２において実線位置と鎖線位置との間を揺動し、搬出用コンベヤ８から排出される薬袋を各収納部１０、１１に振分けて収納する。
【００１４】
また、各搬送路５、６、７の排出側ローラ１８の外側と、搬出用コンベヤ８の排出側端部には、それぞれ薬袋の存在を検出する検出器１９、２０、２１、２２が設けられており、これら各検出器１９、２０、２１、２２の信号は、図１（ｂ）に示すようにマイクロコンピュータ等の制御装置（ＣＰＵ）２３に出力される。
【００１５】
一方、制御装置２３は、各搬送路に設けた検出器１９、２０、２１が薬袋を検出すると、その薬袋を一旦排出側ローラ１８に噛み込んだ状態で待機させ、搬出用コンベヤ８の検出器２２がオフの条件（搬出用コンベヤ８上に薬袋が存在しない状態）において、薬袋を搬出用コンベヤ８に送り出すようになっている。
【００１６】
また、制御装置２３には、オンラインでデータメモリ２４が接続し、そのデータメモリに、各薬袋の表面に印字する患者名や用法等の印字情報が収納されており、制御装置２３は、製袋装置１で製袋された薬袋が各印字装置２、３、４に分配されると、データメモリ２４から各印字装置に対して薬袋に印字する情報を出力し、印字装置の動きを制御するようになっている。
【００１７】
さらに、制御装置２３は、振分け板１２の駆動モータ１５の駆動回路２５と接続し、後述するように駆動モータ１５の作動を制御するようになっており、また、外部入力器２６が接続して、制御モードや印字装置の制御に必要な各種のデータを外部から制御装置２３に直接入力できるように構成されている。
【００１８】
この実施形態は上記のように構成されており、次にその作用を説明する。薬袋の振分けを行なうには、先ず、制御装置２３に対して、患者名別の振分けか、或いは優先順位や再発行に基づく振分けかの振分けの種類を決める制御モードを、外部入力器２６を介して指令する。
【００１９】
この場合、患者名別の振分けの場合は、その制御モードを指定するだけで、データメモリ２４の情報に基づいて振分けが行なわれるが、優先順位や再発行に基づく振分けの場合は、制御モードと共に、優先される患者名や、優先順位、又は再発行する患者名等のデータを制御装置２３に指令する。
【００２０】
このように制御モードを指定した後、製袋装置１から各印字装置２、３、４に薬袋が分配されると、制御装置２３からそれぞれの印字装置２、３、４に対して印字情報が出力され、薬袋の印字が行なわれる。
【００２１】
印字された薬袋が、次に各搬送路５、６、７に送られ、排出側ローラ１８の位置で待機すると、各検知器１９、２０、２１から信号が制御装置２３に出力される。この状態で、制御装置２３においては、各々の印字装置に分配された薬袋にどのような印字情報が印字されているか特定できているので、待機位置にある薬袋とその印字情報とを判別することができる。
【００２２】
このため、その印字情報と制御モードの内容に基づいて駆動モータ１５を駆動し、振分け板１２を揺動させて薬袋を所定の収納部１０、１１に収納する。なお、この場合、各検出器１９、２０、２１のうち２つ又は３つの検出器から同時に薬袋の待機状態が出力された場合は、各薬袋に優先順位があるときはその順位通りに、また優先順位がないときは制御装置２３に入力された印字情報の古い順に薬袋を搬出用コンベヤ８に送り出し、収納ケース９に振分ける。
【００２３】
このように制御装置２３によって搬出用コンベヤ８で強制的に搬送される薬袋と印字情報が正確に特定され、それに基づいて振分け板１２の動きが制御されるため、薬袋を様々な条件に応じて確実に振分けて収納することができる。又、搬送コンベヤ８を縦方向に、振分け手段は薬袋を縦方向又は傾斜方向に受入れるように設けたから、搬送路５、６、７が斜め横方向に設けられていても、その端部に極めてコンパクトに小さなスペース内で設置できる。
【００２４】
なお、上記の実施形態では、薬袋の振分け方向を２方向としたが、３方向以上に振分けるようにしてもよい。また、薬袋と同時に処方せんを印字装置と搬送路に流し、薬袋と同様に振分けるようにしてもよい。
【図面の簡単な説明】
【００２５】
【図１】（ａ）は実施例の全体構造図、（ｂ）はその制御構造を示すブロック図
【図２】同上の要部の拡大図
【図３】振分け板とその駆動部を示す斜視図
【符号の説明】
【００２６】
２、３、４  印字装置
５、６、７  搬送路
８  搬出用コンベヤ
９  収納ケース
１２  振分け板
１４  カム円板
１５  駆動モータ
１９、２０、２１、２２  検出器
２３  制御装置
２４  データメモリ
【図１】
2005029273.tif 000003
【図２】
2005029273.tif 000004
【図３】
2005029273.tif 000005
【手続補正書】
【提出日】平成16年10月27日(2004.10.27)
【手続補正１】
【補正対象書類名】特許請求の範囲
【補正対象項目名】全文
【補正方法】変更
【補正の内容】
【特許請求の範囲】
【請求項１】
患者名別に薬袋印字情報が印字された薬袋を送る搬送路と、その薬袋を上記搬送路から受入れて振分ける振分け手段とを備え、上記薬袋には、患者名別以外に優先順位や再発行等の２種以上の異なる情報を有するものが含まれており、上記振分け手段は、その２種以上の異なる情報を有する薬袋をそれらの情報を有しない薬袋とそれぞれ区別して振分けるようにして成る薬袋の振分け装置。
【請求項２】
上記２種以上の異なる情報を有する薬袋が、優先順位を設けた薬袋と再発行の薬袋であることを特徴とする請求項１に記載の薬袋の振分け装置。